(57)【特許請求の範囲】
【請求項１】
自車両に搭載されて少なくとも先行車を認識する前方認識手段と、
前記前方認識手段で認識した先行車情報に基づいて前記先行車が右折或いは左折しているか否かを判定する右左折判定手段と、
前記前方認識手段で認識した先行車情報に基づいて算出した前記先行車の車速と前記自車両の車速との一方に基づいて、該先行車と該自車両との間の目標車間距離を設定する目標車間距離設定手段と
を備え、
前記右左折判定手段で前記先行車が右折或いは左折していると判定した場合、前記目標車間距離設定手段では前記目標車間距離を前記先行車が直進走行している際に設定する目標車間距離よりも短く設定する
ことを特徴とする車両の走行制御装置。
【請求項２】
前記目標車間距離設定手段は、前記右左折判定手段で前記先行車の右折或いは左折を判定した際に設定する前記目標車間距離を、該先行車が直進走行している際に設定する前記目標車間距離を補正して設定する
ことを特徴とする請求項１記載の車両の走行制御装置。
【請求項３】
前記目標車間距離を補正する補正値は、前記先行車と前記自車両との車間距離が０になるまでの時間を予測し、該予測した時間に余裕時間を加算した値に基づいて設定する
ことを特徴とする請求項２記載の車両の走行制御装置。
【請求項４】
前記目標車間距離を補正する補正値は、前記先行車が前記自車両前方の走行レーンから離脱するまでの時間を予測し、該予測した時間に基づいて設定する
ことを特徴とする請求項２記載の車両の走行制御装置。
【請求項５】
前記目標車間距離を補正する補正値は、前記自車両の車幅と該車幅に対する前記先行車の横方向のラップ率を算出し、該ラップ率が０になるまでの時間を予測し、該予測した時間に基づいて設定する
ことを特徴とする請求項２記載の車両の走行制御装置。
【発明の詳細な説明】
【技術分野】
【０００１】
本発明は、先行車が右折或いは左折した場合には、この先行車に対する目標車間距離を先行車が直進走行する際に設定する目標車間距離よりも短く設定するようにした車両の走行制御装置に関する。
【背景技術】
【０００２】
従来、自動車等の車両にカメラ、ミリ波レーダ、レーザレーダ等を備える前方認識装置を搭載し、この前方認識装置で検出した自車前方の走行環境に基づいて、自車両を走行制御する走行制御装置が種々提案されている。この種の走行制御装置では、前方認識装置で自車前方に先行車を認識した場合は、自車或いは先行車の車速に基づいて目標車間距離を設定し、この目標車間距離を維持した状態で追従走行制御を行い、又、自車前方の目標車間距離よりも手前に先行車が認識されない場合は、運転者が予め設定した車速（セット車速）で定速走行制御を行う。
【０００３】
ところで、追従走行制御では先行車がブレーキを働かせて減速した場合、目標車間距離よりも自車両との車間距離が短くなるため、自車両もブレーキ制御により減速して、実際の車間距離を目標車間距離に戻すようにしている。従って、先行車が右折或いは左折（以下「右左折」と称する）すべく減速した場合には自車両も減速され、その後、先行車が自車走行レーンから離脱した場合に加速される。
【０００４】
先行車が右左折する際に自車両で検出される先行車の移動速度は、自車直進方向のベクトルから求められるため、先行車の進行方向の速度よりも遅い値となる。そのため、車間距離と相対速度に応じてブレーキ制御を行う走行制御装置では、先行車が右左折している場合であっても、自車進行方向のベクトルで検出された車速に基づいて目標車間距離が設定され、当該目標車間距離よりも実際の車間距離が短くなった場合、ブレーキ制御が実行されることになる。
【０００５】
従って、追従走行制御中に先行車が右左折した場合、運転者が先行車の右左折を認識してブレーキペダルを踏み込むタイミングよりも早くブレーキが動作され、又、自車両が先行車に近接した場合には、必要以上に強いブレーキ力が作用する。
【０００６】
一般に、運転者は、右左折する先行車を認識した場合、当該先行車が自車進行路から離脱するタイミングを予測し、そのタイミング合わせてブレーキ操作を行い、所定速度に減速しながら先行車を追い抜こうとする。
【０００７】
これに対し、上述した従来のブレーキ制御では、直進走行中の先行車の車速と、右左折する際の自車進行方向のベクトルとして検出される先行車速とが同じパラメータとして処理されるため、右左折する先行車に対して行うブレーキ制御が、運転者の意図するブレーキタイミングよりも早く動作し、且つブレーキ力が期待以上に過大に働いてしまい、運転者に違和感を与えてしまうばかりでなく、減速し過ぎる傾向となるため先行車を追い抜いた後の加速運転に遅れが生じてしまう問題がある。
【０００８】
この対策として、例えば特許文献１（特開２０００−５７４９９号公報）には、自車両と先行車との車間距離情報と先行車の横方向位置情報とに基づいて先行車の走行軌跡と速度とを演算し、この演算結果から先行車の速度ベクトルを算出し、速度ベクトルの進行方向の変化が大きく、車速の変化が大きいときは右左折と判定する技術が開示されている。
【０００９】
この文献に開示されている技術によれば、追従走行制御において、先行車の右左折を早期に認識することが可能となり、先行車の右左折を認識した場合はブレーキ制御を過大に働かせることなく、円滑な走行制御を行うことができる。
【特許文献１】特開２０００−５７４９９号公報
【発明の開示】
【発明が解決しようとする課題】
【００１０】
しかし、上述した文献に開示されている技術では、先行車が右左折中に更に減速し、或いは停車した場合には対応することができない。
【００１１】
すなわち、例えば先行車が右左折した際に、その進行方向で歩行者と遭遇した場合、先行車を操作する運転者は車速を更に減速し、或いは停車して歩行者が横断するの待つことになるが、このとき、先行車の後部が自車進行路に残っている可能性がある。
【００１２】
このような状況では、運転者は自車両をより減速させたいと要求するが、上述した文献に開示されている技術では、ブレーキを一律に緩める制御が行われてしまうため、運転者の要求に応じることができない。
【００１３】
本発明は、上記事情に鑑み、先行車の右左折を認識した際の目標車間距離を適正に設定し、運転者の要求に沿った走行制御を実現することのできる車両の走行制御装置を提供することを目的とする。
【課題を解決するための手段】
【００１４】
上記目的を達成するため本発明による車両の走行制御装置は、自車両に搭載されて少なくとも先行車を認識する前方認識手段と、前記前方認識手段で認識した先行車情報に基づいて前記先行車が右折或いは左折しているか否かを判定する右左折判定手段と、前記前方認識手段で認識した先行車情報に基づいて算出した前記先行車の車速と前記自車両の車速との一方に基づいて、該先行車と該自車両との間の目標車間距離を設定する目標車間距離設定手段とを備え、前記右左折判定手段で前記先行車が右折或いは左折していると判定した場合、前記目標車間距離設定手段では前記目標車間距離を前記先行車が直進走行している際に設定する目標車間距離よりも短く設定することを特徴とする。
【発明の効果】
【００１５】
本発明によれば、先行車の右折或いは左折を検出した場合、そのときの目標車間距離を、先行車が直進走行する際に設定する目標車間距離よりも短く設定するようにしたので、先行車の右折或いは左折する際に設定される目標車間距離が適正となり、運転者の要求に沿った走行制御を実現することができる。
【発明を実施するための最良の形態】
【００１６】
以下、図面に基づいて本発明の一実施形態を説明する。図１に走行制御装置を搭載した車両の概略構成図を示す。
【００１７】
図１の符号１は自動車等の車両（自車両）であり、この車両１に、車両の運転状態を制御する制御ユニット２が搭載されている。又、この制御ユニット２に走行制御手段としての機能が備えられている。この制御ユニット２は、マイクロコンピュータを主体に構成され、周知のＣＰＵ、ＲＯＭ、ＲＡＭ、及びＥＥＰＲＯＭ等の不揮発性記憶手段等を有している。ＲＯＭには各種制御プログラムや後述する目標車間テーブル等の固定データが格納されており、ＣＰＵは、ＲＯＭに記憶されている制御プログラムに従い、各センサ・スイッチ類からの検出信号等を処理し、上述した目標車間テーブルやＲＡＭに格納される各種データ、及び不揮発性メモリに格納されている各種学習値データ等に基づき、エンジン制御、ブレーキ制御等の車両走行制御を行う。
【００１８】
この制御ユニット２の入力側に、自車両１前方を検出し、少なくとも先行車１’（図４参照）と走行レーンとを認識する前方認識手段としての前方認識装置３、自車両１の車速（自車速）Ｖｓｐ[Km/h]を検出する車速センサ４、走行制御をＯＮ/ＯＦＦするクルーズスイッチ５、スロットル弁の開度を検出するスロットル開度センサ８ｂ等が接続されている。又、この制御ユニット２の出力側に、速度メータ、回転メータ等が所定に配設されているコンビネーションメータ６が接続されており、更に、エンジン７の吸気系に配設されている電子制御スロットル装置８に設けられていると共にスロットル弁を開閉動作させるスロットルアクチュエータ８ａ及びブレーキブースタ９が接続されている。ブレーキブースタ９は、４輪に併設されているブレーキホイールシリンダ９ａに対してブレーキ油圧を強制的に供給するものであり、ブレーキブースタ９を介して各ブレーキホイールシリンダ９ａにブレーキ油圧が供給されると各車輪が制動され、走行中の自車両１は強制的に減速される。
【００１９】
前方認識装置３にステレオカメラ３ａとステレオ画像処理部３ｂが設けられている。ステレオカメラ３ａは、ステレオ光学系として例えば電荷結合素子（ＣＣＤ）等の固体撮像素子を用いた左右一対のＣＣＤカメラで構成されている。この各ＣＣＤカメラは、それぞれ車室内の天井前方に一定の間隔を持って取り付けられ、車外の対象を異なる視点からステレオ撮像し、画像データをステレオ画像処理部３ｂに入力する。
【００２０】
又、ステレオ画像処理部３ｂは、左右一対のステレオカメラ３ａで撮像した、自車両１の前方のステレオ画像に対し、対応する位置のずれ量から距離情報を求めて距離画像を生成する。そして、このデータを基に先行車１’等を認識すると共に自車両１と先行車１’との相対距離（車間距離）を求め、認識した先行車１’等のデータを制御ユニット２へ出力する。
【００２１】
制御ユニット２は、先行車１’と自車両１との車間距離を適切に維持するＡＣＣ制御（Adaptive Cruise Control:車間距離制御）を実行する機能を備えている。ＡＣＣ制御では、ステレオ画像処理部３ｂで認識した先行車１’に関する情報と、車速センサ４で検出した自車速Ｖｓｐとに基づき、先行車１’と自車両１との車間距離を適切に維持する制御が行われる。このＡＣＣ制御は、クルーズスイッチ５をＯＮすることで起動される。
【００２２】
すなわち、クルーズスイッチ５がＯＮされると、制御ユニット２はステレオ画像処理部３ｂで認識した先行車情報を読込み、自車両１前方の走行レーンに先行車１’が走行しているか否かを識別する。そして、先行車１’が検出されていない場合は、運転者が設定したセット車速に自車両１の車速Ｖｓｐを維持させる定速走行制御を行う。又、先行車１’が検出され、且つ先行車１’の車速がセット車速以下の場合は先行車１’に対して所定の車間距離を維持した状態で追従する追従走行制御が実行される。
【００２３】
定速走行制御では、セット車速を目標車速Ｖｔｇとして設定し、電子制御スロットル装置８に設けられているスロットルアクチュエータ８ａを動作させてスロットル弁を開閉動作させ、自車速Ｖｓｐを目標車速Ｖｔｇに維持させる制御を行う。又、追従走行制御では、先行車１’の車速に基づいて目標車間距離を設定し、この目標車間距離を維持するための目標車速Ｖｔｇを設定し、自車速Ｖｓｐが目標車速Ｖｔｇとなるようにスロットル弁を開閉制御する。その際、先行車１’がブレーキを作動させる等して減速した結果、自車両１と先行車１’との車間距離が目標車間距離よりも短くなり、エンジンブレーキだけでは、車間距離を目標車間距離まで戻すことが出来ない場合、ブレーキブースタ９を作動させ、４輪に併設されているブレーキホイールシリンダ９ａに対してブレーキ油圧を供給し、各車輪を強制的に制動させて減速させる。更に、追従走行制御中に先行車の右左折を検出した場合、上述した目標車間距離を短く設定し、減速時期を通常の追従走行制御よりも遅くすることで、運転者の感覚に沿った制御を実現する。
【００２４】
又、追従走行制御中に先行車１’の離脱が検出された場合、ＡＣＣ制御では走行制御を追従走行制御から定速走行制御へ切換え、予め設定されている加速度に従って自車速Ｖｓｐをセット車速まで増速させる過渡制御を実行する。
【００２５】
制御ユニット２で実行されるＡＣＣ制御は、具体的には、図２、図３に示すＡＣＣ制御ルーチンに従って処理される。
【００２６】
このルーチンは、運転者がイグニッションスイッチをＯＮした後、クルーズスイッチ５をＯＮすると、設定演算周期毎に実行され、先ず、ステップＳ１で、ステレオ画像処理部３ｂで自車前方の走行レーンを走行している先行車１’（図４参照）が認識されているか否かを調べ、先行車１’が認識されていない場合、ステップＳ２へ分岐し、定速走行制御を実行してルーチンを抜ける。ここで、定速走行制御について簡単に説明する。定速走行制御では、運転者がセットした車速（セット車速）を目標車速として設定し、自車速Ｖｓｐが目標車速に収束するように、電子制御スロットル装置８に設けられているスロットル弁の弁開度をフィードバック制御する。
【００２７】
又、先行車１’が認識されたと判定されると、ステップＳ３へ進み、ステレオ画像処理部３ｂで認識した、先行車１’と自車両１との車間距離Ｌを読込み、続く、ステップＳ４で、この車間距離Ｌの変化から先行車１’と自車両１との相対速度ΔＶを算出する。
【００２８】
次いで、ステップＳ５へ進むと、車速センサ４で検出した自車速Ｖｓｐと相対速度ΔＶとに基づき先行車１’の車速（先行車速）Ｖａｓｐを算出する。そして、ステップＳ６で先行車速Ｖａｓｐに基づき目標車間テーブルを補間計算付きで検索して、３種類の目標車間距離Ｌ１，Ｌ２，Ｌ３を設定する。尚、この目標車間距離Ｌ１，Ｌ２，Ｌ３は、Ｌ１＞Ｌ２＞Ｌ３の関係がある。又、このステップＳ６、及び後述するステップＳ８での処理が、本発明の目標車間距離設定手段に対応している。
【００２９】
目標車間距離Ｌ１は自車両１を先行車１’に対して安全な距離を維持した状態で追従することのできる距離であり、通常は、車間距離Ｌが目標車間距離Ｌ１を維持するように自車速Ｖｓｐを制御する。以下においては、この目標車間距離Ｌ１を追従目標車間距離Ｌ１と称する。
【００３０】
又、目標車間距離Ｌ２は、弱いブレーキトルクによるブレーキ制御で自車速Ｖｓｐを減速させるしきい値であり、車間距離Ｌが目標車間距離Ｌ１と目標車間距離Ｌ２との間にあるとき、スロットル弁を全閉させてエンジンブレーキを働かせると共に弱いブレーキトルクによるブレーキ制御で自車両１を減速させて、車間距離Ｌを強制的に目標車間距離Ｌ１へ戻す。以下においては、この目標車間距離Ｌ２をブレーキ目標車間距離Ｌ２と称する。
【００３１】
更に、目標車間距離Ｌ３は、最終的に自車両１を先行車１’の車速まで減速させ、或いは停車させるための車間距離であり、車間距離Ｌがブレーキ目標車間距離Ｌ２と目標車間距離Ｌ３との間にあるとき、スロットル弁を全閉させてエンジンブレーキを働かせると共に強いブレーキトルクによるブレーキ制御で自車両１を減速させて、最終的には自車両１を先行車１’に対し、目標車間距離Ｌ３で停車させる。以下においては、この目標車間距離Ｌ３を最終ブレーキ目標車間距離Ｌ３と称する。目標車間テーブルには、先行車速Ｖａｓｐに対応して各目標車間距離Ｌ１，Ｌ２，Ｌ３が予め実験などから求めて格納されている。尚、目標車間テーブルに格納されている各目標車間距離Ｌ１，Ｌ２，Ｌ３の特性を具体的に示せば、図５に示すように追従目標車間距離（Ｌ１）ライン、ブレーキ目標車間距離（Ｌ２）ライン、最終ブレーキ目標車間距離（Ｌ３）ラインとなる。
【００３２】
次いで、ステップＳ７へ進むと、先行車１’が右左折しているか否かを調べる。先行車１’の右左折は、ステレオ画像処理部３ｂで認識した先行車情報に基づいて判定する。すなわち、図６に示すように、先行車１’が交差点等において右左折（図には先行車１’が左折する状態が示されている）すると、ステレオカメラ３ａで撮像した先行車１’は、車体幅が直進時のＷ１から左折するに従い、次第にＷ２→Ｗ３へと広くなる。制御ユニット２では、ステレオ画像処理部３ｂで認識した先行車情報に基づき先行車１’の車体幅の変化を連続的に計測することで、先行車１’の右左折を判定する。そして、先行車１’が右左折と判定した場合、ステップＳ８へ進み、又、先行車１’が直進していると判定した場合、ステップＳ９へジャンプする。尚、ステップＳ７での処理が、本発明の右左折判定手段に対応している。
【００３３】
ステップＳ８へ進むと、上述したステップＳ６で設定した各目標車間距離Ｌ１，Ｌ２，Ｌ３に補正係数ＫＧ（但し、ＫＧ＜１）を乗算して右左折時の各目標車間距離Ｌ１，Ｌ２，Ｌ３を設定し（L1,L2,L3←(L1,L2,L3)・KG）、ステップＳ９へ進む。尚、本実施形態では、この補正係数ＫＧを0.5に設定している。従って、図５に示すように、例えば先行車１’が速度Ｖ１で走行いている場合、直進している状態の各車間距離Ｌ１，Ｌ２，Ｌ３に比し、右左折している状態の各車間距離Ｌ１，Ｌ２，Ｌ３は半分となる。
【００３４】
更に、本実施形態による補正係数ＫＧは固定値であるが、この補正係数ＫＧを可変値としても良い。具体的には、車間距離Ｌが０になるまでの時間を予測し、この予測時間に余裕時間を加算した値に基づいて、この値が小さくなるに従い補正係数ＫＧを大きな値（少ない補正量）に設定する。或いは先行車１’と自車両１と横方向の相対移動速度を求め、この相対移動速度に基づき、先行車１’が自車両１の前方の走行レーンから離脱する時間を予測し、この予測時間に基づいて、この予測時間が長くなるに従い補正係数ＫＧを大きな値に設定する。或いは、自車両１の車幅と、この車幅に対する先行車１’の横方向のラップ率を算出し、このラップ率が０になるまでの時間を予測し、この予測した時間に基づき予測時間が長くなるに従い補正係数ＫＧを大きな値に設定する。
【００３５】
その結果、図５に示すように、先行車１’が右左折した際の各目標車間距離Ｌ１，Ｌ２，Ｌ３は、先行車１’が直進している際の各目標車間距離Ｌ１，Ｌ２，Ｌ３よりも短く設定されるので、自車両１が先行車１’にかなり近づくまではブレーキ制御が実行されず、又、近接した場合は強いブレーキ力により最終ブレーキ目標車間距離Ｌ３で停車されることになる。
【００３６】
そのため、図４（ａ）に示すように、先行車１’が直進している場合は、右左折と判定される直前まで、通常の各目標車間距離Ｌ１，Ｌ２，Ｌ３が設定される。そして、同図（ｂ）に示すように、先行車１'が右左折と判定されると、各目標車間距離Ｌ１，Ｌ２，Ｌ３が補正係数ＫＧで補正された分だけ短縮される。従って、制御ユニット２が先行車１’の右左折を検出すると、各目標車間距離Ｌ１，Ｌ２，Ｌ３が短縮されるため、例えば自車両１が直進走行する先行車１’を追従目標車間距離Ｌ１で追従走行制御している際に、先行車１’の右左折が検出されると、追従目標車間距離Ｌ１が短くなるため、走行制御は、一瞬定速走行制御へ切り替わり車間距離が詰められる。
【００３７】
その後、自車両１が右左折時の追従目標車間距離Ｌ１まで先行車１’に近づくと、走行制御は再び追従走行制御に切り替わる。尚、右左折時の各目標車間距離Ｌ１，Ｌ２，Ｌ３は、先行車速Ｖａｓｐに基づきテーブルを補間計算付きで検索して設定するようにしても良い。
【００３８】
そして、ステップＳ９へ進むと、先行車１’と自車両１との間の車間距離Ｌと、追従目標車間距離Ｌ１とを比較し、Ｌ＞Ｌ１のときは、車間距離Ｌが追従目標車間距離Ｌ１から離れたので、ステップＳ１０へ進み、車間距離Ｌが追従目標車間距離Ｌ１となるように加速制御を実行してルーチンを抜ける。尚、この加速制御時の目標車速は、当然セット車速を越えることはない。
【００３９】
又、Ｌ≦Ｌ１のときは、ステップＳ１１へ進み、目標車間Ｌとブレーキ目標車間距離Ｌ２とを比較する。そして、Ｌ＞Ｌ２、すなわち、Ｌ１≧Ｌ＞Ｌ２の場合は、ステップＳ１２へ分岐し、電子制御スロットル装置８に設けられているスロットルアクチュエータ８ａに対して、スロットル弁を全閉させる信号を出力し、エンジンブレーキを働かせると共に、ブレーキブースタ９に対して、ブレーキを弱く働かせるブレーキトルク信号を出力してブレーキを働かせ、車間距離Ｌが追従目標車間距離Ｌ１に戻るように減速させて、ルーチンを抜ける。
【００４０】
又、Ｌ≦Ｌ２の場合は、ステップＳ１３へ進み、車間距離Ｌと最終ブレーキ目標車間距離Ｌ３との差分から相対距離ΔＬを求めて、ステップＳ１４へ進む。そして、ステップＳ１４で、この相対距離ΔＬと相対速度ΔＶとに基づき、マップ検索などによりブレーキトルクＴｂを設定する。このブレーキトルクＴｂは、相対距離ΔＬが短く、且つ相対速度ΔＶが大きい程、強い値に設定され、逆に、相対距離ΔＬが長く、且つ相対速度ΔＶが小さい程、弱い値に設定される。
【００４１】
その後、ステップＳ１５へ進み、電子制御スロットル装置８に設けられているスロットルアクチュエータ８ａに対して、スロットル弁を全閉させる信号を出力し、エンジンブレーキを働かせると共に、ブレーキブースタ９に対してブレーキトルクＴｂに対応するブレーキトルク信号を出力し、このブレーキトルク信号によりブレーキブースタ９を介してブレーキホイールシリンダ９ａにブレーキトルクを発生させ、急減速させて、ルーチンを抜ける。
【００４２】
このように、本実施形態では、先行車１’が右左折した際の各目標車間距離Ｌ１，Ｌ２，Ｌ３は、先行車１’が直進している際に設定される各目標車間距離Ｌ１，Ｌ２，Ｌ３に比し、短く設定されるので、図４（ｂ）に示すように、制御ユニット２が先行車１’の右左折を検出した場合は、右左折時の追従目標車間距離Ｌ１に近づくまでは定速走行制御が行われる。その際、運転者は先行車１’が、右左折により自車両１前方の走行レーンから離脱するタイミングを予測し、先行車１’が自車両１前方の走行レーンから完全に離脱する前に、当該先行車１’の後部とセンターラインとの間に、自車両１を通過させることのできる幅が確保された場合、運転者はハンドルを操作し自車両１の進路変更することで、確保された幅を通り先行車１’を追い抜くことで、そのまま定速走行制御を継続させることができる。
【００４３】
一方、例えば、先行車１’が右左折した方向で、横断中の歩行者と遭遇する等して、停車したために、先行車１’の後部とセンターラインとの間に、自車両１を通過させることのできる幅が確保されない場合は、右左折時の各目標車間距離Ｌ１，Ｌ２，Ｌ３に応じて自車速Ｖｓｐが制御されるため、自車両１を安全に停車させることができる。
【００４４】
その結果、制御ユニット２が先行車１’の右左折を認識した際のブレーキ制御が適正となり、先行車１’の後部とセンターラインとの間に自車両を通過させることのできる幅が確保された場合には定速走行制御を継続させることができるので、運転者の要求に沿った走行制御を実現することができる。
【００４５】
尚、本発明は、上述した実施形態に限るものではなく、例えば目標車間距離は追従目標車間距離Ｌ１のみであっても適用することができる。
【図面の簡単な説明】
【００４６】
【図１】走行制御装置を搭載した車両の概略構成図
【図２】ＡＣＣ制御ルーチンを示すフローチャート（その１）
【図３】ＡＣＣ制御ルーチンを示すフローチャート（その２）
【図４】（ａ）は先行車が直進走行時の追従走行制御を示す説明図、（ｂ）は先行車が右左折時の追従走行制御を示す説明図
【図５】目標車間テーブルを示す概念図
【図６】右左折時におけるステレオカメラで捕らえた車体幅の変化を示す説明図
【符号の説明】
【００４７】
１…自車両、
１’…先行車、
２…制御ユニット、
３…前方認識装置、
４…車速センサ、
５…クルーズスイッチ、
７…エンジン、
ΔＬ…相対距離、
ΔＶ…相対速度、
ＫＧ…補正係数、
Ｌ…車間距離Ｌ、
Ｌ１…追従目標車間距離、
Ｌ２…ブレーキ目標車間距離、
Ｌ３…最終ブレーキ目標車間距離、
Ｖａｓｐ…先行車速、
Ｖｓｐ…自車速、
Ｖｔｇ…目標車速
【図１】
0005066437.tif 000002
【図２】
0005066437.tif 000003
【図３】
0005066437.tif 000004
【図４】
0005066437.tif 000005
【図５】
0005066437.tif 000006
【図６】
0005066437.tif 000007